【手続補正書】
【提出日】平成24年2月6日(2012.2.6)
【手続補正１】
【補正対象書類名】特許請求の範囲
【補正対象項目名】全文
【補正方法】変更
【補正の内容】
【特許請求の範囲】
【請求項１】
信号によって構成されているのではなくコンピューター実行可能な命令を記憶するコンピューター可読媒体であって、前記コンピューター実行可能な命令は、ユーザーのホスト・パーソナル・コンピューターに配置された１又は複数のプロセッサーによって実行されると、前記ホスト・パーソナル・コンピューターにおいて与えられるユーザー・インターフェースを用いて前記ユーザーの携帯用デバイスにおいてワイヤレス・ネットワーク・セッティングを設定する方法を実現し、前記方法は、
前記ホスト・パーソナル・コンピューターと前記携帯用デバイスとの間に同期接続を確立するステップと、
前記ホスト・パーソナル・コンピューターから前記同期接続を介して前記携帯用デバイスにリクエストを送り、ワイヤレス・アクセス・ポイントを検出するステップと、
前記携帯用デバイスにおける無線モジュールによって検出された１又は複数のワイヤレス・アクセス・ポイントの識別子を、前記ホスト・パーソナル・コンピューターにおいて前記同期接続を介して受け取るステップと、
前記ホスト・パーソナル・コンピューターのディスプレイ・スクリーンにおいて、前記携帯用デバイスの前記無線モジュールによって検出された前記１又は複数のワイヤレス・アクセス・ポイントの前記識別子を表示する前記ユーザー・インターフェースをレンダリングするステップと、
前記ホスト・パーソナル・コンピューターの前記ユーザー・インターフェースにおいて、前記携帯用デバイスのワイヤレス・ネットワーク・セッティングが設定される特定のワイヤレス・アクセス・ポイントを選択するユーザー入力を受け取るステップと、
前記ホスト・パーソナル・コンピューターにおいて、前記ホスト・パーソナル・コンピューターによって前記特定のワイヤレス・アクセス・ポイントに接続するのに用いられるネットワーキング・コンフィギュレーション・パラメーターにアクセスするステップと、
前記ホスト・パーソナル・コンピューターにおいてネットワーキング・コンフィギュレーション・プロファイルを作成するステップであって、前記ネットワーキング・コンフィギュレーション・プロファイルは、前記携帯用デバイスを設定して、前記ホスト・パーソナル・コンピューターによって前記特定のワイヤレス・アクセス・ポイントに接続するのに用いられる前記ネットワーキング・コンフィギュレーション・パラメーターを用いて前記特定のワイヤレス・アクセス・ポイントに接続する、ステップと、
前記ネットワーキング・コンフィギュレーション・プロファイルを前記ホスト・パーソナル・コンピューターから前記携帯用デバイスに前記同期接続を介して送信するステップと、
前記ホスト・パーソナル・コンピューターにおいて、前記携帯用デバイスが前記特定のワイヤレス・アクセス・ポイントを用いてワイヤレチクル接続を確立するのに成功したという指示を受け取るステップと、
対形成データを、前記ホスト・パーソナル・コンピューターから前記携帯用デバイスまで前記ワイヤレス接続を介して送信するステップと、
を含む、コンピューター可読媒体。
【請求項２】
請求項１記載のコンピューター可読媒体において、前記対形成データはＭＡＣ情報を含む、コンピューター可読媒体。
【請求項３】
請求項１記載のコンピューター可読媒体において、前記ネットワーキング・コンフィギュレーション・プロファイルはＷｉＦｉネットワーキング・コンフィギュレーション・プロファイルである、コンピューター可読媒体。
【請求項４】
請求項１記載のコンピューター可読媒体であって、
前記ホスト・パーソナル・コンピューターにおけるワイヤレス・アクセス・ポイント・コンフィギュレーションのデータベースに以前の接続情報を求めてアクセスするステップのためのコンピューター実行可能な命令を更に記憶する、コンピューター可読媒体。
【請求項５】
請求項４記載のコンピューター可読媒体であって、
前記ホスト・パーソナル・コンピューターの前記ディスプレイ・スクリーンにおいて、前記ワイヤレス・アクセス・ポイント・コンフィギュレーションを表示するステップと、
前記ホスト・パーソナル・コンピューターにおいて、選択されたワイヤレス・アクセス・ポイント・コンフィギュレーションに関する入力を受け取るステップと、
前記選択されたワイヤレス・アクセス・ポイント・コンフィギュレーションに対応するワイヤレス・アクセス・ポイントに関する以前の接続情報を前記ホスト・パーソナル・コンピューターから前記携帯用デバイスに送るステップと、
のためのコンピューター実行可能な命令を更に記憶する、コンピューター可読媒体。
【請求項６】
請求項１記載のコンピューター可読媒体であって、
前記ホスト・パーソナル・コンピューターと前記携帯用デバイスとの間の前記ワイヤレス接続を用いて同期動作を実行するステップであって、前記携帯用デバイスには一編分のコンテンツの１つ（an item of episodic content）への加入が記憶されている、ステップと、
前記ホスト・パーソナル・コンピューターにおいて前記ワイヤレス接続を介して一編分のコンテンツの１つへの前記加入の変更を示す入力を受け取るステップと、
前記ホスト・パーソナル・コンピューターにおけるメディア・ライブラリへの変更を行うステップと、
のためのコンピューター実行可能な命令を更に記憶する、コンピューター可読媒体。
【請求項７】
請求項６記載のコンピューター可読媒体において、前記変更は前記一編分のコンテンツへの加入の解消である、コンピューター可読媒体。
【請求項８】
請求項６記載のコンピューター可読媒体であって、
前記携帯用デバイスに記憶されている一編分のコンテンツの１つを受け取るステップのためのコンピューター実行可能な命令を更に記憶する、コンピューター可読媒体。
【請求項９】
請求項８記載のコンピューター可読媒体であって、
信号をメディア・コンテンツ配信サービスに送信するステップであって、前記信号は前記メディア・コンテンツ配信サービスに一編分のコンテンツの前記１つを前記ホスト・パーソナル・コンピューターにダウンロードさせる、ステップのためのコンピューター実行可能な命令を更に記憶する、コンピューター可読媒体。
【請求項１０】
請求項８記載のコンピューター可読媒体において、一編分のコンテンツの前記１つは前記携帯用デバイスからワイヤレス・プロトコルを用いて受け取られる、コンピューター可読媒体。
【請求項１１】
請求項１０記載のコンピューター可読媒体において、前記ワイヤレス・プロトコルはブルートュース・プロトコルである、コンピューター可読媒体。
【請求項１２】
請求項８記載のコンピューター可読媒体であって、
前記携帯用デバイスから加入情報を受け取り前記一編分のコンテンツに加入するステップのためのコンピューター実行可能な命令を更に記憶する、コンピューター可読媒体。
【請求項１３】
請求項１記載のコンピューター可読媒体であって、
ウェブ・サーバーにおいてユーザー・プロファイルを確立するステップと、
前記ホスト・パーソナル・コンピューターと前記ユーザー・プロファイルとの間で同期関係を確立するステップと、
前記携帯用デバイスと前記ユーザー・プロファイルとの間でワイヤレス同期関係を確立するステップと、
別のデバイスと前記ユーザー・プロファイルとの間で同期関係を確立するステップと、
前記ウェブ・サーバーにおいて前記ユーザー・プロファイルとの同期動作を実行するステップと、
前記ホスト・パーソナル・コンピューターにおけるメディア・ライブラリを変更し、前記携帯用デバイスによってなされる又は前記別のデバイスにおける一編分のコンテンツの１つへの加入への変更を反映させるステップと、
のためのコンピューター実行可能な命令を更に記憶する、コンピューター可読媒体。
【請求項１４】
請求項１記載のコンピューター可読媒体において、前記ホスト・パーソナル・コンピューターによって前記特定のワイヤレス・アクセス・ポイントに接続するのに用いられる前記ネットワーキング・コンフィギュレーション・パラメーターは前記特定のワイヤレス・アクセス・ポイントのためのパスフレーズを含む、コンピューター可読媒体。
【請求項１５】
ユーザーのホスト・パーソナル・コンピューターにおいて与えられるユーザー・インターフェースを用いて前記ユーザーの携帯用デバイスにおいてワイヤレス・ネットワーク・セッティングを設定する、コンピューターで実現される方法であって、
前記ホスト・パーソナル・コンピューターと前記携帯用デバイスとの間に同期接続を確立するステップと、
前記ホスト・パーソナル・コンピューターから前記同期接続を介して前記携帯用デバイスにリクエストを送り、ワイヤレス・アクセス・ポイントを検出するステップと、
前記携帯用デバイスにおける無線モジュールによって検出された１又は複数のワイヤレス・アクセス・ポイントの識別子を、前記ホスト・パーソナル・コンピューターにおいて前記同期接続を介して受け取るステップと、
前記ホスト・パーソナル・コンピューターのディスプレイ・スクリーンにおいて、前記携帯用デバイスの前記無線モジュールによって検出された前記１又は複数のワイヤレス・アクセス・ポイントの前記識別子を表示する前記ユーザー・インターフェースをレンダリングするステップと、
前記ホスト・パーソナル・コンピューターの前記ユーザー・インターフェースにおいて、前記携帯用デバイスのワイヤレス・ネットワーク・セッティングが設定される特定のワイヤレス・アクセス・ポイントを選択するユーザー入力を受け取るステップと、
前記ホスト・パーソナル・コンピューターにおいて、前記ホスト・パーソナル・コンピューターによって前記特定のワイヤレス・アクセス・ポイントに接続するのに用いられるネットワーキング・コンフィギュレーション・パラメーターにアクセスするステップと、
前記ホスト・パーソナル・コンピューターにおいてネットワーキング・コンフィギュレーション・プロファイルを作成するステップであって、前記ネットワーキング・コンフィギュレーション・プロファイルは、前記携帯用デバイスを設定して、前記ホスト・パーソナル・コンピューターによって前記特定のワイヤレス・アクセス・ポイントに接続するのに用いられる前記ネットワーキング・コンフィギュレーション・パラメーターを用いて前記特定のワイヤレス・アクセス・ポイントに接続する、ステップと、
前記ネットワーキング・コンフィギュレーション・プロファイルを前記ホスト・パーソナル・コンピューターから前記携帯用デバイスに前記同期接続を介して送信するステップと、
前記ホスト・パーソナル・コンピューターにおいて、前記携帯用デバイスが前記特定のワイヤレス・アクセス・ポイントを用いてワイヤレチクル接続を確立するのに成功したという指示を受け取るステップと、
対形成データを、前記ホスト・パーソナル・コンピューターから前記携帯用デバイスまで前記ワイヤレス接続を介して送信するステップと、
を含む、コンピューターで実現される方法。
【請求項１６】
請求項１５記載のコンピューターで実現される方法であって、
前記ホスト・パーソナル・コンピューターにおけるワイヤレス・アクセス・ポイント・コンフィギュレーションのデータベースに以前の接続情報を求めてアクセスするステップを更に含む、コンピューターで実現される方法。
【請求項１７】
請求項１６記載のコンピューターで実現される方法であって、
前記ホスト・パーソナル・コンピューターの前記ディスプレイ・スクリーンにおいて、前記ワイヤレス・アクセス・ポイント・コンフィギュレーションを表示するステップと、
前記ホスト・パーソナル・コンピューターにおいて、選択されたワイヤレス・アクセス・ポイント・コンフィギュレーションに関する入力を受け取るステップと、
前記選択されたワイヤレス・アクセス・ポイント・コンフィギュレーションに対応するワイヤレス・アクセス・ポイントに関する以前の接続情報を前記ホスト・パーソナル・コンピューターから前記携帯用デバイスに送るステップと、
を含む、コンピューターで実現される方法。
【請求項１８】
請求項１５記載のコンピューターで実現される方法において、前記ホスト・パーソナル・コンピューターによって前記特定のワイヤレス・アクセス・ポイントに接続するのに用いられる前記ネットワーキング・コンフィギュレーション・パラメーターは前記特定のワイヤレス・アクセス・ポイントのためのパスフレーズを含む、コンピューターで実現される方法。
【請求項１９】
請求項１５記載のコンピューターで実現される方法であって、
前記ホスト・パーソナル・コンピューターと前記携帯用デバイスとの間の前記ワイヤレス接続を用いて同期動作を実行するステップであって、前記携帯用デバイスには一編分のコンテンツの１つへの加入が記憶されている、ステップと、
前記ホスト・パーソナル・コンピューターにおいて前記ワイヤレス接続を介して一編分のコンテンツの１つへの前記加入の変更を示す入力を受け取るステップと、
前記ホスト・パーソナル・コンピューターにおけるメディア・ライブラリへの変更を行うステップと、
を含む、コンピューターで実現される方法。
【請求項２０】
コンピューター実行可能な命令を記憶するメモリと、
前記コンピューター実行可能な命令を実行して、ユーザーのホスト・パーソナル・コンピューターにおいて与えられるユーザー・インターフェースを用いて前記ユーザーの携帯用デバイスにおいてワイヤレス・ネットワーク・セッティングを設定する方法を実現するプロセッサーと、
を備えている計算機であって、前記方法は、
前記ホスト・パーソナル・コンピューターと前記携帯用デバイスとの間に同期接続を確立するステップと、
前記ホスト・パーソナル・コンピューターから前記同期接続を介して前記携帯用デバイスにリクエストを送り、ワイヤレス・アクセス・ポイントを検出するステップと、
前記携帯用デバイスにおける無線モジュールによって検出された１又は複数のワイヤレス・アクセス・ポイントの識別子を、前記ホスト・パーソナル・コンピューターにおいて前記同期接続を介して受け取るステップと、
前記ホスト・パーソナル・コンピューターのディスプレイ・スクリーンにおいて、前記携帯用デバイスの前記無線モジュールによって検出された前記１又は複数のワイヤレス・アクセス・ポイントの前記識別子を表示する前記ユーザー・インターフェースをレンダリングするステップと、
前記ホスト・パーソナル・コンピューターの前記ユーザー・インターフェースにおいて、前記携帯用デバイスのワイヤレス・ネットワーク・セッティングが設定される特定のワイヤレス・アクセス・ポイントを選択するユーザー入力を受け取るステップと、
前記ホスト・パーソナル・コンピューターにおいて、前記ホスト・パーソナル・コンピューターによって前記特定のワイヤレス・アクセス・ポイントに接続するのに用いられるネットワーキング・コンフィギュレーション・パラメーターにアクセスするステップと、
前記ホスト・パーソナル・コンピューターにおいてネットワーキング・コンフィギュレーション・プロファイルを作成するステップであって、前記ネットワーキング・コンフィギュレーション・プロファイルは、前記携帯用デバイスを設定して、前記ホスト・パーソナル・コンピューターによって前記特定のワイヤレス・アクセス・ポイントに接続するのに用いられる前記ネットワーキング・コンフィギュレーション・パラメーターを用いて前記特定のワイヤレス・アクセス・ポイントに接続する、ステップと、
前記ネットワーキング・コンフィギュレーション・プロファイルを前記ホスト・パーソナル・コンピューターから前記携帯用デバイスに前記同期接続を介して送信するステップと、
前記ホスト・パーソナル・コンピューターにおいて、前記携帯用デバイスが前記特定のワイヤレス・アクセス・ポイントを用いてワイヤレチクル接続を確立するのに成功したという指示を受け取るステップと、
対形成データを、前記ホスト・パーソナル・コンピューターから前記携帯用デバイスまで前記ワイヤレス接続を介して送信するステップと、
を含む、計算機。